(57)【要約】      （修正有）【課題】親機を持ち運びできる充電式とし、充電台から取り外した状態でも子機と親機との交信が充電台を介して行えるドアホン装置を提供する。【解決手段】親機は親機用電源となる充電式電池を備え、充電式電池を充電する充電部を内蔵して住宅内に設置され親機を着脱自在に保持する充電台を備え、子機と充電台は有線で電気的接続され、親機と充電台は無線で電気的接続され、子機と親機との交信が充電台を介して行なわれるように充電台と親機は無線の送受信部を備える。【選択図】図１
2010011113.tif 000002
【特許請求の範囲】
【請求項１】
住宅の玄関等に設置され来客者を撮影するカメラ等を備える子機と、前記住宅内に設置
され前記カメラで撮影した映像を映し出すモニタ表示部を備えた親機とからなるドアホン
装置において、前記親機は親機用電源となる充電式電池を備え、前記充電式電池を充電す
る充電部を内蔵して前記住宅内に設置され前記親機を着脱自在に保持する充電台を備え、
前記子機と前記充電台は有線で電気的接続され、前記親機と前記充電台は無線で電気的接
続され、前記子機と前記親機との交信が前記充電台を介して行なわれるように前記充電台
と前記親機は送受信部を備えたことを特徴とするドアホン装置。
【請求項２】
前記親機には、前記住宅内に設置された電気器具の制御用の操作部と信号発信部を設け
たことを特徴とする請求項１に記載のドアホン装置。
【請求項３】
前記充電台に、少なくともマイクロフォン、スピーカ、呼び出しボタンを設けたことを
特徴とする前記請求項１又は請求項２に記載のドアホン装置。
【発明の詳細な説明】
【技術分野】
【０００１】
本発明は、呼び出し要素とカメラを備え住宅の玄関等に設置される子機と、前記カメラ
による映像を映し出すモニタ画面を備え前記住宅内に設置された親機とからなるドアホン
装置に関し、特に、親機を携帯可能としたドアホン装置に関する。
【背景技術】
【０００２】
親機と子機との間で通話するインターホンシステムにおいて、子機からの呼び出しに応
答して親機との間で通話を行なう場合において、親機から取り外し可能なリモコンを設け
、子機からの呼び出しに応答してリモコンのランプ点灯と共に効果音または振動によって
、住人が親機から離れた場所に居る場合でも、来客を確認できるようにしたものがある。
（特許文献１参照）。
【特許文献１】特開平９−８９２５号公報
【発明の開示】
【発明が解決しようとする課題】
【０００３】
上記の特許文献１のものは、親機は住宅の室内の所定の場所に設置したものであり、通
話は親機の受話器にて行なうものであり、親機の場所に行かなければ通話ができないもの
である。また、ハンズフリー通話が可能な親機を採用しても、やはり住宅の室内の所定の
場所に設置した親機のマイクを通して行なうため、親機から遠く離れた場所や、親機から
隔離した隣室等では、子機との間の通話ができない問題がある。このように、固定式親機
の場合には、テレビを観ているときは親機の設置場所またはその近傍まで行かねばならず
面倒である。また、料理中において料理途中にその場を離れることは、料理中断を余儀な
くされ、所期の料理ができないことにもなる。また、入浴中においては、親機の設置場所
まで行くことができず、応答できずに留守状態とみられる。
【０００４】
このように固定式親機の場合には種々の課題があるが、本発明のドアホン装置は、親機
が持ち運びできる充電式とし、充電台から取り外した状態でも、子機と親機との交信が充
電台を介して行なわれるようにして、上記課題を解決するものである。
【課題を解決するための手段】
【０００５】
本発明のドアホン装置は、住宅の玄関等に設置され来客者を撮影するカメラ等を備える
子機と、前記住宅内に設置され前記カメラで撮影した映像を映し出すモニタ表示部を備え
た親機とからなるドアホン装置において、前記親機は親機用電源となる充電式電池を備え
、前記充電式電池を充電する充電部を内蔵して前記住宅内に設置され前記親機を着脱自在
に保持する充電台を備え、前記子機と前記充電台は有線で電気的接続され、前記親機と前
記充電台は無線で電気的接続され、前記子機と前記親機との交信が前記充電台を介して行
なわれるように前記充電台と前記親機は送受信部を備えたことを特徴とする。
【０００６】
また、本発明のドアホン装置は、前記親機には、前記住宅内に設置された電気器具の制
御用の操作部と信号発信部を設けたことを特徴とする。
【０００７】
更に、本発明のドアホン装置は、前記充電台に少なくともマイクロフォン、スピーカ、
呼び出しボタンを設けたことを特徴とする。
【発明の効果】
【０００８】
従来の固定式親機の場合には、テレビを観ているときは親機の設置場所まで行かねばな
らず面倒である。また、料理中において料理途中にその場を離れることは、料理中断を余
儀なくされ所期の料理ができないことになる。また、入浴中においては、親機の設置場所
まで行くことができず、留守と思われる状態となる。このように固定式親機の場合には種
々の課題があるが、本発明のドアホン装置は、親機が持ち運びできると共に、充電台から
取り外した状態でも、子機と親機との交信が充電台を介して行なわれるため、上記課題は
解決される。また、親機を充電台に設置すれば親機用電源である充電式電池が充電される
と共に、親機の保管場所として適する。更に、親機を充電台に設置すれば、固定式親機の
場合と同様に子機との交信ができるため、手が塞がっている場合等での不便さは解消され
る。
【０００９】
また、親機に住宅内に設置された電気器具の制御用の操作部を設けたことにより、テレ
ビを観ているとき等において手元に持って来た親機によって、テレビのＯＮ−ＯＦＦ、エ
アコンの始動停止等ができるので便利である。
【００１０】
更に、充電台に、少なくともマイクロフォン、スピーカ、呼び出しボタンを設けたこと
で、親機を充電台から外して持ち歩いている間や、他の場所に置き忘れた場合に来客があ
っても、充電台にて来客対応を行うことが出来るものである。
【発明を実施するための最良の形態】
【００１１】
本発明のドアホン装置は、住宅の玄関等に設置され来客者を撮影するカメラ等を備える
子機と、前記住宅内に設置され前記カメラで撮影した映像を映し出すモニタ表示部を備え
た親機とからなるドアホン装置において、前記親機は親機用電源となる充電式電池を備え
、前記充電式電池を充電する充電部を内蔵して前記住宅内に設置され前記親機を着脱自在
に保持する充電台を備え、前記子機と前記充電台は有線で電気的接続され、前記親機と前
記充電台は無線で電気的接続され、前記子機と前記親機との交信が前記充電台を介して行
なわれるように前記充電台と前記親機は送受信部を備えており、以下に、本発明の実施例
を記載する。
【実施例１】
【００１２】
図１は本発明に係るドアホン装置の構成図、図２は本発明に係るドアホン装置の親機の
制御部の構成図、図３は本発明に係るドアホン装置の子機と充電台の制御部の構成図であ
る。以下、本発明に係るドアホン装置の実施例を図に基づき説明する。
【００１３】
１は本発明に係るドアホン装置であり、子機２と、親機３と、親機３を着脱自在に保持
する充電台４で構成している。子機２は、集合住宅や戸建て住宅等の家屋の玄関あるいは
門柱等来客が操作し易い所に設置される。充電台４は、商用電源ＡＣ１００Ｖのコンセン
トへ差し込まれるプラグ３０を備え、これによって供給されるＡＣ１００Ｖを整流して所
定の充電電圧にする充電部６を内蔵している。また、親機３は、充電台４にセットした状
態で充電部６によって充電される親機用電源となる充電式電池５を内蔵しており、充電台
４に着脱自在に保持される。充電台４は前記集合住宅や戸建て住宅等の家屋内の壁等に設
置され、充電台４は親機３が縦方向に保持されて着脱自在なる構成である。親機３は充電
台４に設置された状態で、親機３の充電端子（図示せず）と充電台４の充電部６の充電端
子（図示せず）が接続され、充電部６によって充電式電池５が充電状態となる。
【００１４】
子機２と充電台４との間は、電源と通信信号を重畳して伝送する２線ケーブル７にて電
気的接続される。また、親機３と充電台４は無線で電気的接続されるように、親機３は送
受信部８、アンテナ８Ａ、スピーカ２１、マイクロフォン２２等を備え、充電台４は送受
信部９、アンテナ９Ａ等を備えている。これによって、親機３の制御部３Ｔと充電台４の
制御部４Ｔの動作を伴って、子機２と親機３との交信が充電台４を介して行なわれるよう
になる。
【００１５】
図３には子機２と充電台４の制御部４Ｔの構成を示している。これにおいて、子機２は
、来客が操作する呼び出しボタン１０、来客の音声をキャッチするマイクロフォン１１、
親機３からの応答音声を発するスピーカ１２、来客を撮影するＣＣＤカメラであるカメラ
１３等を備え、集合住宅用の場合は表札部１４を前面に有する形態となる。
【００１６】
また、親機３の制御部３Ｔとして、アンテナ８Ａで送受信する信号の送受信部８に接続
したインターフェイス１５、制御部の中央処理手段としてのＣＰＵ１６、プログラムや各
種情報を記憶するメモリ１７、操作部１８、操作部１８の操作によって前記電気器具と信
号の授受を行なう赤外線送受信部１９、送受信部８が受信した音声信号をスピーカ２１へ
送りまたマイクロフォン２２が受けた音声を送受信部８へ送る通話部２０、送受信部８が
受信した映像信号を復調する映像復調部２３、映像復調部２３から送られる信号によって
映像を映し出すモニタ表示部２４、充電式電池５が満充電状態で点灯し充電不足状態で消
灯する電池量表示ＬＥＤ２９等を備えている。操作部１８は、後述のように、前記家屋内
に設置された電気器具（例えば、エアコン、テレビ、照明器具等）の電源ＯＮ−ＯＦＦ用
操作部１８Ａ、親機３の応答ボタン１８Ｂ、親機３のモニタボタン１８Ｃ、及びその他の
機能ボタンを備えている。
【００１７】
また充電台４の制御部４Ｔとして、アンテナ９Ａで送受信する信号の送受信部９に接続
したインターフェイス２５、子機２と信号の授受を行うインターフェイス３１、制御部の
中央処理手段としてのＣＰＵ２６、プログラムや各種情報を記憶するメモリ２７、親機３
が充電台４に設置されて充電部６によって充電式電池５を充電中で点灯し、充電式電池５
が満充電状態で消灯する充電状態表示ＬＥＤ２８等を備えている。また、充電状態表示Ｌ
ＥＤ２８は、充電状態では赤色に点灯し、満充電になれば青または緑に点灯が変わるＬＥ
Ｄランプであってもよい。
【００１８】
このような構成において、来客が呼び出しボタン１０を操作すれば、マイクロフォン１
１でピックアップした来客の音声信号と、レンズ１３Ａを通してＣＣＤカメラ１３で撮影
した来客の映像信号が、充電台４のＣＰＵ２６へ入力し、インターフェイス２５を通して
送受信部９のアンテナ９Ａから送信される。この送信された音声信号と映像信号が、親機
３のアンテナ８Ａから送受信部８に受信され、音声信号は通話部２０にてスピーカ２１か
ら音声となって聞こえる。一方、映像信号は、映像復調部２３で復調されてモニタ表示部
２４に来客の映像が映し出される。
【００１９】
これに応答するために家屋内の住人は、親機３の応答ボタン１８Ｂを押して応答し、そ
の音声は、マイクロフォン２２でピックアップされ、その音声信号が通話部２０を通して
送受信部８のアンテナ８Ａから送信される。この送信された音声信号が、充電台４のアン
テナ９Ａから送受信部９に受信され、ＣＰＵ２６を通して子機２の回路へ入り、スピーカ
１２が動作して子機２のスピーカ窓１２Ａから音声となって来客に聞こえる。
【００２０】
このようにして、子機２と親機３との間の通話、及び子機２のＣＣＤカメラ１３で撮影
した来客の映像は、充電台４の制御部４Ｔを通して行なわれる。これは、親機３が充電台
４にセットされた状態、及び親機３が充電台４から取り外された状態のいずれの状態でも
行なわれる。このため、親機３を充電台４から取り外した状態でも、親機３が手元にあれ
ば、充電台４を介して親機３にて子機２との間で、来客応対ができるものとなる。
【００２１】
親機３と充電台４との間の送受信は、単に家屋内の空間の伝播によって行なう方式でも
よいが、家屋内に充電台４のアンテナ９Ａに相当するアンテナ回線を配線すれば、親機３
と充電台４との通信がこのアンテナ回線を介して送受信される。即ち、親機３から無線送
信される電波がこのアンテナ回線に乗り充電台４を通して子機２へ送信され、また、充電
台４から送信される電波がこのアンテナ回線に乗り、親機３で無線受信されるようにすれ
ば、充電台４が１階の居間に設置され、２階のベランダで洗濯物を干すために親機３を持
って行った場合のように、充電台４が設置されている部屋から遠く離れた部屋等に親機３
を持って行った場合にも、安定した通信ができる。
【００２２】
なお、親機３には、住宅内に設置された電気器具（例えば、エアコン、テレビ、照明器
具等）の電源ＯＮ−ＯＦＦ用の操作部１８Ａと、赤外線信号を発信しまた受信する送受信
部１９を設けており、この操作部１８Ａの操作によって、赤外線送受信部１９から前記電
気器具へ信号を発信し、前記電気器具の電源ＯＮ−ＯＦＦの制御をすることができる。図
では、電気器具の電源ＯＮ−ＯＦＦ用の操作部１８Ａを１つで示しているが、エアコンと
テレビの電源をそれぞれ別個にＯＮ−ＯＦＦする場合は、操作部１８Ａをエアコン用とテ
レビ用のそれぞれに設ければよい。
【００２３】
また、エアコン、テレビ等からそのときの運転状態の信号を受けて、それに対して親機
３によってエアコン、テレビ等の運転状態を変更するようにすることができる。例えば、
エアコンが強冷運転の時の信号を赤外線送受信部１９で受け、操作部１８の一つとして設
けた温度変更機能ボタン（図示せず）の操作によって弱冷に変更することや、また、テレ
ビの動作中の音声の状態信号を赤外線送受信部１９で受け、操作部１８の一つとして設け
た音量変更機能ボタン（図示せず）の操作によって、音声を大きく変更することができる
ようになる。
【００２４】
また、子機２の設置されている付近の様子を確認するために、親機３には、子機２のＣ
ＣＤカメラ１３で撮影した画像をモニタ表示部２４で見ることができるようにしている。
この場合は、親機３のモニタボタン１８Ｃの操作によって、ＣＣＤカメラ１３で撮影した
画像を親機３の制御部へ取り込み、モニタ表示部２４に映し出すようにしている。
【００２５】
更に、充電台４に、少なくともマイクロフォン、スピーカ、呼び出しボタン（応答ボタ
ンともいう）を設けて、子機２からの呼び出しに応答できるようにすれば、親機３を充電
台４から外して持ち歩いている間や、他の場所に置き忘れた場合に来客があっても、充電
台４にて来客対応を行うことが出来るものとなる。
【実施例２】
【００２６】
図４は本発明に係るドアホン装置の親機３と充電台４の他の形態を示している。図４に
おいて、図１〜図３と同符号は同一機能部を示している。図４に示す親機３は携帯電話機
と同様の感覚で持ち運びし易い形態をなす。この親機３は、正面上部に液晶または有機Ｅ
Ｌのモニタ表示部２４を備え、その下方に各種の操作部１８を備え、モニタ表示部２４の
上方にはスピーカ２１をスピーカ窓２１Ａに対応して内蔵している。
【００２７】
親機３は、家屋内に設置された電気器具（例えば、エアコン、テレビ、照明器具等）の
制御を行うリモコン操作部を操作部１８に備えている。
【００２８】
操作部１８として、子機２からの呼び出し音に応答して通話するための応答ボタン１８
Ｂ、子機２からの呼び出し音がない状態においてＣＣＤカメラ１３で撮影した外部映像を
モニタ表示部２４に映し出すためのモニタボタン１８Ｃ、このモニタを終了する終了ボタ
ン１８Ｃ１、モニタ表示部２４に写し出された映像と音声を録画するための録画ボタン１
８Ｄ、録画した映像をモニタ表示部２４に再生する再生ボタン１８Ｅ、前記電気器具の第
１の器具の制御を行う第１リモコン操作部１８Ｆ、前記電気器具の第２の器具の制御を行
う第２リモコン操作部１８Ｇ、操作可能メニューを選択するメニューボタン１８Ｈ、親機
３が備えた特別機能を選択できるツールボタン１８Ｉ、メニューボタン１８Ｈで選択した
メニューまたはツールボタン１８Ｉで選択したツールの種類がモニタ表示部２４に表示さ
れるため、その中の希望のメニューまたはツールを探す操作ボタン１８Ｊ、数字キーの操
作ボタン１８Ｋ、温度や照度等調節可能な値を変更するための変更ボタン１８Ｌ、この変
更ボタン１８Ｌで変更した値に設定するための決定ボタン１８Ｍ、親機３の電源のＯＮ−
ＯＦＦボタン１８Ｎ等を備えている。親機３の電源のＯＮ−ＯＦＦボタン１８Ｎは、夜間
等の不要時には、親機３の電源をＯＦＦさせることができる。なお、２２はマイクロフォ
ンである。
【００２９】
図４に示す親機３は、前記電気器具の中のテレビと照明器具の制御を行うようにした一
例を示しており、第１リモコン操作部１８Ｆがテレビ制御用操作部であり、プッシュにて
テレビ選択状態になり次のプッシュにてその選択状態が終了する。また、第２リモコン操
作部１８Ｇは、特定の照明器具の制御用操作部であり、プッシュにて特定の照明器具の選
択状態になり次のプッシュにてその選択状態が終了する。
【００３０】
テレビの制御を行う場合は、テレビ制御用操作部１８Ｆを一度プッシュしてＯＮすれば
、テレビ操作状態となり、「リモコン１」の文字が表示部２４Ｃに表示されると共に、「
テレビ」の文字が表示部２４Ａに表示される。メニューボタン１８ＨをＯＮ操作し、操作
ボタン１８Ｊにて探したそのメニューの中の「チャンネル」にマーカが移動した状態にお
いて、決定ボタン１８ＭをＯＮすることによって、チャンネル変更モードとなり、「チャ
ンネル」の文字が表示部２４Ｂに表示され、現在のチャンネル番号が表示部２４Ｂ１に表
示される。この状態において、操作ボタン１８Ｋの数字キーの操作によって、選択した数
字のチャンネルに変更され、そのチャンネル番号がその都度表示部２４Ｂ１に表示される
。また、音量変更は、メニューボタン１８ＨをＯＮ操作し、操作ボタン１８Ｊにて探した
そのメニューの中の「音量」にマーカが移動した状態において、決定ボタン１８ＭをＯＮ
することによって、音量変更モードとなり、この状態において、変更ボタン１８Ｌの上下
の矢印部を押すことによって、大きくまたは小さく変更できる。
【００３１】
このような変更後に再度テレビ制御用操作部１８ＦをプッシュしてＯＮすれば、テレビ
操作モード（テレビモード）が終了してドアホン状態に復帰するが、このように再度テレ
ビ制御用操作部１８Ｆをプッシュしなくても、操作部１８の操作が所定時間（例えば１分
）行なわれない状態が続いたときは、自動的にドアホン状態（ドアホンモード）に復帰す
る機能を親機３は備えている。このドアホンモードになれば、「ドアホン」の文字が表示
部２４Ｅに表示され、ドアホンモード以外のモードになれば、この表示部２４Ｅから「ド
アホン」の文字が消える仕組みである。
【００３２】
このようなチャンネル切り替えや音量変更等における信号の授受は、赤外線送受信部１
９を通して行なわれる。また、テレビモードにおいて、テレビのＯＮ−ＯＦＦ制御は、メ
ニューボタン１８ＨをＯＮ操作し、操作ボタン１８Ｊにて探したそのメニューの中の「Ｏ
Ｎ」または「ＯＦＦ」にマーカが移動した状態において、決定ボタン１８ＭをＯＮするこ
とによって行なうようにしてもよく、また、操作ボタン１８Ｋの数字キーの特定のものを
操作することによって行なうようにしてもよい。なお、２４Ｆは親機３の充電式電池５の
充電量表示部、２４Ｇは親機３の電波受信状態をアンテナマークによって表示する表示部
である。
【００３３】
また、調光機能付きの特定の照明器具の制御を行う場合は、第２リモコン操作部１８Ｇ
を一度プッシュしてＯＮすれば、調光操作状態（調光モード）となり、「リモコン２」の
文字が表示部２４Ｄに表示される。メニューボタン１８ＨをＯＮ操作し、操作ボタン１８
Ｊにて探したそのメニューの中の「調光」にマーカが移動した状態において、決定ボタン
１８ＭをＯＮすることによって、調光モードとなり、この状態において、変更ボタン１８
Ｌの上下の矢印部を押すことによって、照明器具への供給電圧を変更して明るくまたは暗
く変更できる。このような調光を行なう信号の授受は、赤外線送受信部１９を通して行な
われる。また、調光モードにおいて、照明器具のＯＮ−ＯＦＦ制御は、メニューボタン１
８ＨをＯＮ操作し、操作ボタン１８Ｊにて探したそのメニューの中の「ＯＮ」または「Ｏ
ＦＦ」にマーカが移動した状態において、決定ボタン１８ＭをＯＮすることによって行な
うようにしてもよく、また、操作ボタン１８Ｋの数字キーの特定のものを操作することに
よって行なうようにしてもよい。
【００３４】
親機３が備えるリモコン機能は上記に限定されず、例えば、エアコンのＯＮ−ＯＦＦや
設定温度の変更等を行なうようにもできる。この場合、例えば、操作部１８Ｆをエアコン
制御用操作部とし、操作部１８Ｆを一度プッシュしてＯＮすれば、エアコン操作状態（エ
アコンモード）となり、「リモコン１」の文字が表示部２４Ｃに表示されると共に、「エ
アコン」の文字が表示部２４Ａに表示される。メニューボタン１８ＨをＯＮ操作し、操作
ボタン１８Ｊにて探したそのメニューの中の「設定温度」にマーカが移動した状態におい
て、決定ボタン１８ＭをＯＮすることによって、設定温度変更モードとなり、「設定温度
」の文字が表示部２４Ｃに表示され、現在の設定温度が表示部２４Ｃ１に表示される。こ
の状態において、変更ボタン１８Ｌの上下の矢印部を押すことによって、設定温度を高く
または低く変更できる。
【００３５】
また、エアコンモードにおいて、エアコンのＯＮ−ＯＦＦ制御は、メニューボタン１８
ＨをＯＮ操作し、操作ボタン１８Ｊにて探したそのメニューの中の「ＯＮ」または「ＯＦ
Ｆ」にマーカが移動した状態において、決定ボタン１８ＭをＯＮすることによって行なう
ようにしてもよく、また、操作ボタン１８Ｋの数字キーの特定のものを操作することによ
って行なうようにしてもよい。
【００３６】
上記のようにリモコン制御対象のエアコン、テレビ、照明器具等の電気器具の操作に関
する制御信号については、事前にＩＤを設定して親機３のメモリ１７に記憶させ、親機３
を操作して電気器具メーカのインターネットのＷＥＢサイトにアクセスし、リモコン制御
を行いたい電気器具の赤外線リモコン操作信号情報を入手し、これを基に親機３のプログ
ラムに従って、リモコン制御対象の制御信号を生成すればよい。親機３はこのような機能
も備えている。
【００３７】
更に、充電台４に、少なくともマイクロフォン、スピーカ、呼び出しボタン（応答ボタ
ンともいう）を設けて、子機２からの呼び出しに応答できるようにすれば、親機３を充電
台４から外して持ち歩いている間や、他の場所に置き忘れた場合に来客があっても、充電
台４にて来客対応を行うことが出来るものとなる。
【産業上の利用可能性】
【００３８】
本発明のドアホン装置は、上記実施例に示した構成に限定されず、種々の形態のものに
適用できるものであり、本発明の技術範囲において種々の形態を包含するものである。
【図面の簡単な説明】
【００３９】
【図１】本発明に係るドアホン装置の構成図である。（実施例１）
【図２】本発明に係るドアホン装置の親機の制御部の構成図である。（実施例１）
【図３】本発明に係るドアホン装置の子機と充電台の制御部の構成図である。（実施例１）
【図４】本発明に係るドアホン装置の子機と充電台の他の形態の構成図である。（実施例２）
【符号の説明】
【００４０】
１・・・・ドアホン装置
２・・・・子機
３・・・・親機
３Ｔ・・・親機の制御部
４・・・・充電台
４Ｔ・・・充電台の制御部
５・・・・充電式電池
６・・・・充電部
７・・・・２線ケーブル
８・・・・送受信部
９・・・・送受信部
１０・・・呼び出しボタン
１１・・・マイクロフォン
１２・・・スピーカ
１３・・・ＣＣＤカメラ
１６・・・ＣＰＵ
１８・・・操作部
１８Ａ・・電気器具（エアコン、テレビ等）の電源ＯＮ−ＯＦＦ用の操作部
１９・・・送受信部
２０・・・通話部
２１・・・スピーカ
２２・・・マイクロフォン
２４・・・モニタ表示部
２６・・・ＣＰＵ
【図１】
2010011113.tif 000003
【図２】
2010011113.tif 000004
【図３】
2010011113.tif 000005
【図４】
2010011113.tif 000006